(57)【特許請求の範囲】
【請求項１】
階層化伝送信号として出力される高階層情報、前記高階層情報の各番組映像を所定の順序で１画面に圧縮配置した低階層情報としてのモザイクコンポーネント及び前記モザイクコンポーネントの配置と前記高階層情報の各番組の対応関係とを示す配置情報を受信するテレビジョン放送受信装置であって、
受信した前記高階層情報と前記低階層情報とを復調する受信手段と、
選択された前記高階層情報の番組を示す抽出情報を指示するプログラム選局手段と、
前記プログラム選局手段が指示した前記抽出情報に基づいて、前記受信手段が復調した前記低階層情報から低階層番組及び前記高階層情報の番組の対応関係を示す配置情報を分離する分離手段と、
前記分離手段が分離した前記配置情報に基づいて、前記分離手段が分離した前記低階層番組であるモザイクコンポーネントのセルの映像を対応関係にある前記高階層番組の番組映像として切り出して復号する選択手段と、
前記選択手段が切り出して復号した前記モザイクコンポーネントのセルの映像を表示する表示手段とを具備することを特徴とするテレビジョン放送受信装置。
【請求項２】
ビット誤り率を検出するＣ／Ｎ判定手段を更に備え、
前記Ｃ／Ｎ判定手段が検出した前記Ｃ／Ｎが一定値以下の場合、前記選択手段は、前記高階層番組に対応する前記低階層番組の内から切り出された番組映像を選択し、前記表示手段は、前記選択手段が選択した前記番組映像を拡大表示することを特徴とする請求項１記載のテレビジョン放送受信装置。
【発明の詳細な説明】
【０００１】
【発明の属する技術分野】
本発明は、階層化伝送方式を用いたテレビジョン放送送信，受信装置、及びテレビジョン放送送受信システムにおいて、特に、低階層情報部を用いて情報伝送を行うことにより降雨減衰の影響を低減しつつ、電子番組ガイド（ＥＰＧ）を効率よく表示することができるものに関するものである。
【０００２】
【従来の技術】
近年、テレビジョン放送の多チャンネル化に伴い、放送受信装置側で多数のチャンネルから受信チャンネルを選択する際の便宜を図るシステムとして、放送局より番組本体とは別に、番組の選択に役立つ番組に関する情報を配信し、放送受信装置側の表示画面に複数の番組の番組情報を表示し、視聴者が表示された番組情報に基づいて受信チャンネルを選択する電子番組ガイド（ＥＰＧ）システムが実用化されている。
【０００３】
ここで番組情報としては、一般に番組内容等をテキスト文章で表したテキストデータが用いられるが、放送受信側で各チャンネルを順に切り換えて各チャンネルごとの映像データを取得し、この取得した映像データをＥＰＧの表示画面に挿入するチャンネルインデックス方式も実用化されており、このチャンネルインデックス方式では、各チャンネルの映像内容が確認できるのでチャンネル選択において極めて便利である。
【０００４】
しかしながら、以上のようなチャンネルインデックス方式では、チューナーを切り換えて表示を行うために動作が遅く、表示される画面がコマ送り的になり、動画のインデックスとは認識できないという問題がある。そこで、放送局において、複数の番組の映像コンテンツを編集して、複数の番組の画像を一画面に配列したインデックス番組を作成して専用のチャンネルを用いて配信するプロモーションチャンネル方式のものがある。しかし、このプロモーションチャンネル方式の場合、視聴者が希望するチャンネルをチューナーを切り換えて選択するため、瞬時の切り替えができないという問題点が生じる。
【０００５】
なお、降雨時等においてＣ／Ｎが低下する、いわゆる降雨減衰を改善するために、例えば、「映像情報メディア学会技術報告  ＶＯＬ．２１，ＮＯ．２５  ＩＳＳＮ  １３４２−６８９３（社団法人  映像情報メディア学会）」に示されるように、高階層情報と対応する低階層情報を同時に送信することにより、Ｃ／Ｎ低下時に低階層情報を用いて番組を視聴することで画像表示を保障する方法が提案されているが、このような場合においても、ＥＰＧを作成しようとする際には、やはり上述したチャンネルインデックス方式、もしくはプロモーションチャンネル方式を採用することとなり、やはり上述のような問題が生じるものであった。
【０００６】
【発明が解決しようとする課題】
従来のテレビジョン放送送信装置、受信装置は以上のように構成されており、電子番組ガイドを使用するに際して、チャンネルインデックス方式では、動作が遅く、表示される画面がコマ送り的になり、動画のインデックスとは認識できないという問題があり、プロモーションチャンネル方式のものでは、専用のチャンネルを必要とする上に、視聴者が希望するチャンネルをチューナーを切り換えて選択するため、瞬時の切り替えができないという問題点があった。
【０００７】
本発明は、かかる現状に鑑みなされたもので、ＥＰＧ表示やＥＰＧからの番組きり変え動作が速く、しかも専用のチャンネルを必要とせず、さらに、降雨時の低Ｃ／Ｎ時にも画像表示を行うことができるテレビジョン放送送信装置，テレビジョン放送受信装置、及びテレビジョン放送送受信システムを提供することを目的とする。
【０００９】
【課題を解決するための手段】
本発明の請求項１にかかるテレビジョン放送受信装置は、階層化伝送信号として出力される高階層情報、前記高階層情報の各番組を所定の順序で１画面に圧縮配置した低階層情報としてのモザイクコンポーネント及び前記モザイクコンポーネントの配置と前記高階層情報の各番組の対応関係とを示す配置情報を受信するテレビジョン放送受信装置であって、受信した前記高階層情報と前記低階層情報とを復調する受信手段と、選択された前記高階層情報の番組を示す抽出情報を指示するプログラム選局手段と、前記プログラム選局手段が指示した前記抽出情報に基づいて、前記受信手段が復調した前記低階層情報から低階層番組及び前記高階層情報の番組の対応関係を示す配置情報を分離する分離手段と、前記分離手段が分離した前記配置情報に基づいて、前記分離手段が分離した前記低階層番組であるモザイクコンポーネントのセルの映像を対応関係にある前記高階層番組の番組映像として切り出して復号する選択手段と、前記選択手段が切り出して復号した前記モザイクコンポーネントのセルの映像を表示する表示手段とを具備することを特徴としたものである。
【００１０】
また、本発明の請求項２にかかるテレビジョン放送受信装置は、請求項１のテレビジョン放送受信装置の構成において、ビット誤り率を検出するＣ／Ｎ判定手段を更に備え、前記Ｃ／Ｎ判定手段が検出した前記Ｃ／Ｎが一定値以下の場合、前記選択手段は、前記高階層番組に対応する前記低階層番組の内から切り出された番組映像を選択し、前記表示手段は、前記選択手段が選択した前記番組映像を拡大表示することを特徴としたものである。
【００１３】
【発明の実施の形態】
以下、本発明の実施の形態１によるテレビジョン放送送信装置、受信装置について説明する。なお、ここでは送信されているトランスポートストリームが４つである場合を例として説明する。
【００１４】
図１は本実施の形態１にかかるテレビジョン放送送信装置の全体的な構成を示す図であり、図において、ＴＳ１，ＴＳ２，ＴＳ３，ＴＳ４は、それぞれ事業者Ａの番組Ｉ，事業者Ａの番組ＩＩ，事業者Ｂの番組Ｉ，事業者Ｂの番組ＩＩ信号を放送するトランスポートストリームであり、１０は上記各トランスポートストリームＴＳ１〜ＴＳ４から送信され高階層情報の番組本体の映像信号から各番組のコンテンツを所定の順序で１画面に圧縮配置してモザイクコンポーネントを作成し、これを低階層情報として出力するモザイクコンポーネント画像合成手段、１１は上記モザイクコンポーネント画像合成手段１０で作成されたモザイクコンポーネント内のどこに各番組の圧縮映像が位置するのかを示す配置情報を作成し、これを後述する多重化手段に出力する配置情報作成手段、１２は上記各トランスポートストリームＴＳ１〜ＴＳ４に対して、モザイクコンポーネント画面合成手段１０で作成されたモザイクコンポーネントを低階層情報として付加された各番組（ここでは４つ）と、上記配置情報作成手段１１から出力された配置情報とを多重化する多重化手段、１３は上記多重化手段１２にて多重化して得られた階層化伝送信号を送出する伝送送信手段である。
【００１５】
また、図５（ａ）は上記モザイクコンポーネント画面合成手段１０により作成されるモザイクコンポーネントによるＥＰＧ画面の構成例を模式的に示す図であり、要素セル０〜３にそれぞれ、事業者Ａの番組Ｉ〜事業者Ｂの番組ＩＩが対応して配置されており、４つの要素セルのうち、事業者Ａの番組Ｉが選択画面枠にて選択された状態となっている。また、図５（ｂ）は図５（ａ）に示したモザイクコンポーネント画面の配置情報の構成例を示す図であり、モザイク拡張子の領域に上記モザイク画面の配置と番組内容の対応関係に関する記述が行われていることを示している。
【００１６】
図２は本実施の形態１にかかるテレビジョン放送受信装置の全体的な構成を示す図であり、図において、２０は図１に示した伝送送信手段１３から出力された階層化伝送信号を受けて、階層化伝送信号を階層毎に復調する伝送受信手段であり、該伝送受信手段２０にはその内部に、ビット誤り率を検出するためのＣ／Ｎ判定部２０ａを備えている。
【００１７】
２３は操作者であるオペレータの入力２２の指示を受けて、後述する分離部２１へ、抽出すべき情報を指示するプログラム選曲手段である。分離部２１は、プログラム選曲手段２３の出力を受け、復調された高階層情報，低階層情報から、所定の番組の高階層番組情報，低階層番組情報，モザイクコンポーネントの配置情報を抽出するものである。２５は上記分離部２１により分離／抽出された高階層情報，低階層情報のうちのいずれかの階層を切り換えて選択して出力する選択手段、２６は選択手段２５により選択された階層の情報を復号する映像復号手段、２７は上記復号化された映像を拡大する拡大手段、２８は上記拡大手段２７と映像復号手段２６の出力をその入力とし、後述する指令手段２４の出力に応じていずれか一方の映像情報を出力する出力選択手段、２９は出力選択手段２８で選択された映像情報を表示する映像表示手段である。また、２４は上記分離部２１で分離/ 抽出された配置情報を蓄積する配置情報蓄積部２４ａを備え、検出されたビット誤り率に基づいて、あるいはオペレータ入力２２の指示に基づいて上記選択手段２５，出力選択手段２８の動作を制御するものである。
【００１８】
以下、動作について説明する。なお、ここでは、降雨時でＣ／Ｎが所定値よりも低い状態において、視聴者であるオペレータが事業者Ａの番組Ｉを選択する場合を想定して説明するものとする。
まず、テレビジョン放送送信装置では、図３のステップＳ３０において、モザイクコンポーネント画面合成手段１０は、事業者Ａ，Ｂのそれぞれの番組Ｉ，ＩＩで構成されるモザイクコンポーネントを作成する。すなわち、各番組のトランスポートストリーム（ＴＳ１〜ＴＳ４）をＭＰＥＧ方式にてデコードし、次いで各画面サイズを縦横方向に半分とし、配置情報作成手段１１の配置情報に従ってモザイクコンポーネント画面を合成する。そして、合成後の映像をＭＰＥＧエンコード処理して低階層トランスポートストリームを生成する。
【００１９】
次いでステップＳ３１において、各トランスポートストリームＴＳ１〜ＴＳ４それぞれに対して、上記作成した低階層トランスポートストリームを付加して合成を行い、ステップＳ３２において、多重化手段１２で、上記合成した情報に上記配置情報を含む番組情報を付加してステップＳ３３に進み、ここで、伝送送信手段１３によってＴＣ８ＰＳＫによる伝送路符号化・変調処理が行なわれ階層化伝送信号として伝送路に出力されることになる。
【００２０】
以上のようにして伝送された階層化伝送信号は図４のステップ４０において、伝送受信手段２０で受信され、ここで、プログラム選局手段２３により指定されたトランスポンダがチューニングされ、ＴＣ８ＰＳＫ復調処理が行われる。このとき、高階層情報及び低階層情報を、それぞれに対応した伝送方式にて復調が行われる。
【００２１】
次いでステップＳ４１では、分離手段２１において、分離/ 抽出（デマルチプレクス）処理が行われ、プログラム選局手段２３で指定された番組（ここでは事業者Ａの番組Ｉ）が、その高階層情報，低階層情報，配置情報に分離されそれぞれ抽出される。
【００２２】
次いでステップＳ４２では、指令手段２４がＣ／Ｎ判定部２０ａより送られてくるビット誤り率を受けて、Ｃ／Ｎが所定値以下に低下していることを判定すると、選択手段２６は配置情報記憶部２４ａに記憶された配置情報を基にしてオペレータ入力２２によって指定した，低階層情報として送られてくるモザイクコンポーネント内の番組を判定して、事業者Ａの番組Ｉに相当する部分を抽出してこれを出力するようになる。
【００２３】
次いでステップＳ４３において、上記出力された低階層情報は映像復号手段２６により復号化され、拡大手段２７によって所定の大きさ、例えば、モニタ上で全画面表示となるサイズに拡大される。このとき、出力選択手段２８が指令手段２４の出力によって拡大手段２７の出力を選択するように制御されている状態となっているために、該拡大された低階層情報が出力されて映像表示手段２９にて表示されることになる。
【００２４】
なお、上記ステップＳ４２において、オペレータ入力２２によって、例えば、電子番組モードにしたい等の要求が入力された場合には、この指令が優先されて、選択手段２５に対して低階層情報であるモザイクコンポーネントをそのまま選択し、出力選択手段２８に映像復号手段２６の出力を選択して出力するように動作することになる。
【００２５】
また、上記ステップＳ４２において、Ｃ／Ｎが所定値以下に低下していない場合には、オペレータ入力によって指定した，高階層情報として送られてくる事業者Ａの番組Ｉに相当する情報が選択手段２５で選択され、映像復号手段２６で復号化され、出力選択手段２８で選択されて映像表示部２９で表示されることになる。
【００２６】
さらに、上記実施の形態では、ビット誤り率に基づいて自動的に低階層情報を用いた番組が映像表示部２９に表示されるように構成したが、オペレータの判断により手動にて選択する情報階層を指示するように構成することも可能である。
【００２７】
このように本実施の形態１によれば、高階層情報として伝送される各放送番組本体のデータにそれぞれ、上記各番組本体の映像コンテンツを１画面に圧縮配置して構成された映像を低階層情報として付加し、上記各番組の圧縮映像が上記圧縮配置して構成された低階層情報のどこに位置するのかを示す配置情報とともに多重化して送信し、受信装置側で降雨減衰のためにＣ／Ｎが低い時には、通常、高階層情報を用いて表示される映像を、上記圧縮配置された複数の番組映像を含む低階層情報の中から、上記配置情報に基づいて所定の番組の映像に相当するものを分離／抽出して表示するようにしたから、ＥＰＧの表示、切り替え等の動作が速く、しかも専用のチャンネルを必要とせず、しかも、降雨時の低Ｃ／Ｎ時にも画像表示を行うことができる。
【００２８】
【発明の効果】
以上のように、本発明によれば、複数の番組信号、及び受信装置側で受信する番組を選択するために用いる、放送番組に関する情報である番組情報信号を多重し、高階層情報及び低階層情報を単一のトランスポートストリームで伝送可能な階層化方式により伝送を行ない、上記高階層情報及び低階層情報をオペレータの指示に基づいて切り換えて表示を行うテレビジョン放送送受信システムにおいて、上記トランスポートストリームに、上記高階層情報として放送する放送番組本体のデータと、複数の番組本体の映像コンテンツを所定の順序で１画面に圧縮配置したサイマル放送映像を上記低階層情報として伝送するモザイクコンポーネントと、上記番組情報信号として各番組の圧縮情報が上記モザイクコンポーネントのどの位置に配置されているのかを示す配置情報とを多重化して階層化伝送信号として送出し、上記送出された階層化伝送信号を高階層情報と低階層情報とに分離して復調し、該復調した情報の中からオペレータが選択する番組を選択し、高階層情報，サイマル放送映像の低階層情報，モザイクコンポーネントの配置情報にそれぞれ分離し、上記オペレータが選択した番組を復号化して映像情報として表示するようにしたので、専用チャンネルを用いることなく、かつ表示がスムーズな電子番組ガイドをオペレータの操作により任意の時に提供することができるという効果が得られる。
【００２９】
また、上記階層化伝送信号の受信時に、受信Ｃ／Ｎを検知して、その検知結果が一定値以下の場合に、格納された上記モザイクコンポーネントの配置情報に基づいて上記オペレータが選択した所定の番組を、上記低階層情報のモザイクコンポーネント内から切り出して、これを復号／拡大して出力するようにしたので、降雨時の低Ｃ／Ｎ時にも画像表示を行うことができるという効果が得られる。
【図面の簡単な説明】
【図１】本発明の実施の形態１によるテレビジョン放送送信装置、受信装置の送信装置の全体的な構成を示す図である。
【図２】本発明の実施の形態１によるテレビジョン放送送信装置、受信装置の受信装置の全体的な構成を示す図である。
【図３】上記送信装置の動作を説明するためのフローを示す図である。
【図４】上記受信装置の動作を説明するためのフローを示す図である。
【図５】モザイクコンポーネント画面合成手段により作成されるモザイクコンポーネントによるＥＰＧ画面の構成例を模式的に示す図（ａ）、モザイクコンポーネント画面の配置情報の構成例を示す図（ｂ）である。
【符号の説明】
１０  モザイクコンポーネント画面合成手段
１１  配置情報作成手段
１２  多重化手段
１３  伝送送信手段
２０  伝送受信手段
２０ａ  Ｃ／Ｎ判定部
２１  分離手段
２２  オペレータ入力
２３  プログラム選局手段
２４  指令手段
２４ａ  配置情報記憶部
２５  選択手段
２６  映像復号手段
２７  拡大手段
２８  出力選択手段
２９  映像表示手段
【図１】
0003823186.tif 000002
【図２】
0003823186.tif 000003
【図３】
0003823186.tif 000004
【図４】
0003823186.tif 000005
【図５】
0003823186.tif 000006